(57)【要約】【課題】複数個直列接続された蓄電装置のそれぞれが満充電されないところで充電が終了したり、過充電になってしまわないようにすることのできる充電方法および充電装置を提供する。【解決手段】複数個直列接続した電気二重層コンデンサＥＤＬＣに対して    充電電流源１１を直列に接続し、各ＥＤＬＣに並列に放電ブロック１３，１４を接続し、あるＥＤＬＣの電圧が満充電電圧に達したときに、当該ＥＤＬＣに並列に接続されている放電ブロック１３または１４を導通状態として他のＥＤＬＣに充電電流を流す。これにより、ＥＤＬＣを直列に接続したまま、各ＥＤＬＣを満充電まで充電することができる。【選択図】          図４
2004304931.tif 000002
【特許請求の範囲】
【請求項１】
複数個直列接続した蓄電装置に充電用電流源を接続し、個々の蓄電装置の充電電圧を監視しながら各蓄電装置が満充電になるように充電を行うことを特徴とする蓄電装置の充電方法。
【請求項２】
複数個直列接続した蓄電装置に対して充電用電流源を直列に接続し、各蓄電装置に並列に放電ブロックを接続し、ある蓄電装置の電圧が満充電電圧に達したときに、当該蓄電装置に並列に接続されている前記放電ブロックを導通状態として他の蓄電装置に充電電流を流すことを特徴とする請求項１記載の蓄電装置の充電方法。
【請求項３】
充電を、各蓄電装置に対して時分割で行い、その前記充電電圧に応じて前記時分割のデューティー比を制御するようにした請求項１記載の蓄電装置の充電方法。
【請求項４】
前記蓄電装置は、電気二重層コンデンサ、電気化学キャパシタ等の大容量キャパシタである請求項１から３のいずれかの項に記載の蓄電装置の充電方法。
【請求項５】
複数個直列接続した蓄電装置の充電装置であって、前記複数個直列接続した蓄電装置に直列に接続した充電用電流源と、各蓄電装置に並列に接続された放電ブロックと、各蓄電装置の充電電圧を検出する電圧検出手段と、この電圧検出手段により検出された充電電圧が予め定められた満充電電圧に達したときに当該蓄電装置に接続されている放電ブロックを導通状態にする放電制御手段とを備えたことを特徴とする蓄電装置の充電装置。
【請求項６】
複数個直列接続した蓄電装置の充電装置であって、前記各蓄電装置にスイッチを介して接続した充電用電流源と、各蓄電装置の充電電圧を検出する電圧検出手段と、前記スイッチを交互にオンオフして各蓄電装置に時分割で充電電流を流し、前記電圧検出手段で検出された各蓄電装置の充電電圧に応じて前記スイッチのオン時間を制御するオン時間制御手段とを備えたことを特徴とする蓄電装置の充電装置。
【請求項７】
前記蓄電装置は、電気二重層コンデンサ、電気化学キャパシタ等の大容量キャパシタである請求項５または６記載の蓄電装置の充電装置。
【発明の詳細な説明】
【０００１】
【発明の属する技術分野】
本発明は、蓄電装置、特に、電気二重層コンデンサや電気化学キャパシタ等の大容量キャパシタを充放電可能な直流電源として使用するときの、充電方法および充電装置に関する。
【０００２】
【従来の技術】
従来より、充電可能な直流電源として、鉛蓄電池、ニッケルカドミウム電池、ニッケル水素電池、リチウムイオン電池などの２次電池が利用されている。しかし、これらの電池の寿命は、充放電回数が２００〜１，０００回程度と短く、充電時間も長い。また、本体重量が重く、公害物質の廃棄問題も発生する。さらに、リチウムイオン電池においては、安全機構にコストがかかる。
【０００３】
近年、上記電池とともに、電気二重層コンデンサ（ＥＤＬＣ：Ｅｌｅｃｔｒｉｃ  Ｄｏｕｂｌｅ  Ｌａｙｅｒ  Ｃａｐａｃｉｔｏｒ）や電気化学キャパシタ（Ｅｌｅｃｔｒｏ−Ｃｈｅｍｉｃａｌ  Ｃａｐａｃｉｔｏｒ）を蓄電部分に使用するケースが増えてきている。電気二重層コンデンサは、活性炭等の多孔質炭素と電解液の界面に発生する電気二重層を動作原理として利用したコンデンサである。また、電気化学キャパシタは、金属酸化物や導電性高分子の表面の酸化還元反応を利用するキャパシタ（コンデンサ）である。
【０００４】
前記の電気二重層コンデンサは、理論上２０万回以上、また、電気化学キャパシタは、理論上２万回以上の充放電が可能で、電池では充電できない微弱電流や大電流でも充電可能である。特に、電気二重層コンデンサの構成材料は、無公害物質で、廃棄時の問題がないという利点がある。
【０００５】
電気二重層コンデンサや電気化学キャパシタを蓄電部分に使用する課題としては、第１に、電気二重層コンデンサや電気化学キャパシタの放電電圧特性が定電圧でなく、ほぼ直線的に降下する点、第２に、直列接続された電気二重層コンデンサや電気化学キャパシタの充電時にすべてが同時に満充電にならない点、第３に、電気二重層コンデンサや電気化学キャパシタのコストが電池に比べて高い点などが挙げられる。
【０００６】
２次電池のうち鉛蓄電池、ニッケルカドミウム電池、ニッケル水素電池などは、満充電状態から電気を消費（放電）していく場合、電気がなくなるまで、ほぼ一定の電圧を保つ放電特性を持っている。電池電圧が一定の場合、負荷へ供給する電圧のコントロールは比較的簡単である。
【０００７】
一方、電気二重層コンデンサや電気化学キャパシタ等の大容量コンデンサは、満充電状態から電気を消費（放電）していく場合、電気がなくなるに従って、徐々に（ほぼ直線的に）電圧が下がっていく放電特性を持っている。電池電圧が直線的に下がっていく場合、通常、負荷に合わせた一定の電圧が供給できるように電圧を昇降圧変換する必要が出てくる。たとえば定格２．３ＶのＥＤＬＣを使用し２．０Ｖ出力する場合は、２．３Ｖから２．０Ｖまでは、２．０Ｖに降圧し、２．０Ｖ以下は、そのままの電圧を出力する方式、あるいは、２．３Ｖから２．０Ｖまでは、そのままの電圧を出力し、２．０Ｖ以下は、２．０Ｖに昇圧する方法は比較的簡単にディスクリート回路で実現できている。しかし、２．３Ｖから０．６Ｖまでの全ての電圧にわたって、２．０Ｖを出力するのは、現状では簡単ではない。
【０００８】
特許文献１（特開２００２−１１８９７４号公報）においては、二次電池の出力を昇圧する昇圧回路と、この昇圧回路に並列に接続され、昇圧した出力により充電される電気二重層コンデンサと、この電気二重層コンデンサの放電出力を定電圧化する定電圧レギュレータと、定電圧レギュレータの出力を二次電池の出力側に結合する逆流防止ダイオードとを備え、二次電圧の急激な出力低下を逆流防止ダイオードを介して定電圧レギュレータで補うようにした電池パックが開示されている。
【０００９】
また、直列接続された電気二重層コンデンサや電気化学キャパシタの充電は、これらを直列接続したまま充電される。しかし、これは、電気二重層コンデンサや電気化学キャパシタの各々のばらつきを考えると必ずしも有効ではない。その理由は、電気二重層コンデンサや電気化学キャパシタの各々の充電電圧を監視していないために、すべての電気二重層コンデンサや電気化学キャパシタが満充電されないところで、充電が終了したり、逆に過充電になってしまうことがあるためである。
【００１０】
この問題に対し、例えば特許文献２（特開２００１−２５１７７７号公報）では、二次電池や電気二重層コンデンサ等の蓄電体を複数個直列に接続して充電する場合に、前記直列接続された複数の蓄電体のそれぞれに共通の電力を供給する電力供給源を接続し、各蓄電体に並列に負荷回路を接続し、前記電力供給源を電力供給源より電力を供給し、蓄電体に対して個別に充電電力の制御を行う必要のある場合は前記負荷回路に調整分の電力を消費及び／又は回生させることにより、電池製造工場における充放電回路を減少させるようにしている。
【００１１】
【特許文献１】
特開２００２−１１８９７４号公報
【特許文献２】
特開２００１−２５１７７７号公報
【００１２】
【発明が解決しようとする課題】
しかしながら、前記の特許文献１記載の電池パックでは、二次電池の急激な出力低下を電気二重層コンデンサによって補うようにしたものであり、電気二重層コンデンサ自体を電源として用いる構成ではない。
【００１３】
また、特許文献２に記載された充放電回路では、各蓄電体に並列に接続した負荷回路に、調整分の電力を消費及び／又は回生させるようにしているが、消費した電力は熱として放出されるため、エネルギーの無駄となっていた。また、特許文献２の充電方法は、蓄電体の製造工場において、製造された蓄電体の初期の充放電を行うためのものであり、複数個直列に接続された蓄電体で構成された直流電源を構成する各蓄電体をそれぞれ満充電するためのものではなかった。
【００１４】
そこで本発明は、複数個直列接続された蓄電装置のそれぞれが満充電されないところで充電が終了したり、過充電になってしまわないようにすることのできる充電方法および充電装置を提供することを目的とする。
【００１５】
【課題を解決するための手段】
前記課題を解決するため、本発明の第１の構成に係る蓄電装置の充電方法は、複数個直列接続した蓄電装置に充電用電流源を接続し、個々の蓄電装置の充電電圧を監視しながら各蓄電装置が満充電になるように充電を行うことを特徴とする。
この第１の構成においては、複数個直列接続された蓄電装置のそれぞれの充電電圧を監視するので、蓄電装置のそれぞれが満充電されないところで充電が終了したり、過充電になってしまわないように充電ができる。
【００１６】
本発明の第２の構成に係る蓄電装置の充電方法は、複数個直列接続した蓄電装置に対して充電用電流源を直列に接続し、各蓄電装置に並列に放電ブロックを接続し、ある蓄電装置の電圧が満充電電圧に達したときに、当該蓄電装置に並列に接続されている前記放電ブロックを導通状態として他の蓄電装置に充電電流を流すことを特徴とする。
この第２の構成においては、充電用電流源から充電するときに、個々の蓄電装置の充電電圧を監視し、満充電電圧に達するとその蓄電装置に充電電流が流れないように放電ブロックを導通状態とすることで、過充電となることがない。
【００１７】
本発明の第３の構成に係る蓄電装置の充電方法は、充電を、各蓄電装置に対して時分割で行い、その前記充電電圧に応じて前記時分割のデューティー比を制御するようにしたことを特徴とする。
この第３の構成においては、各蓄電装置に対する充電を時分割で行うので、充電電力を抑制することができる。
【００１８】
本発明の第４の構成に係る蓄電装置の充電方法は、前記蓄電装置は、電気二重層コンデンサ、電気化学キャパシタ等の大容量キャパシタであることを特徴とする。
この第４の構成においては、蓄電装置を大容量キャパシタとすることで、充電電流を小電流から大電流まで任意に設定でき、充電時間も短縮することができる。
【００１９】
本発明の第５の構成に係る蓄電装置の充電装置は、複数個直列接続した蓄電装置の充電装置であって、前記複数個直列接続した蓄電装置に直列に接続した充電用電流源と、各蓄電装置に並列に接続された放電ブロックと、各蓄電装置の充電電圧を検出する電圧検出手段と、この電圧検出手段により検出された充電電圧が予め定められた満充電電圧に達したときに当該蓄電装置に接続されている放電ブロックを導通状態にする放電制御手段とを備えたことを特徴とする。
この第５の構成においては、１個の充電用電流源から充電するときに、個々の蓄電装置の充電電圧を監視し、満充電電圧に達するとその蓄電装置に充電電流が流れないように放電ブロックを導通状態とすることで、過充電となることがない。
【００２０】
本発明の第６の構成に係る蓄電装置の充電装置は、複数個直列接続した蓄電装置の充電装置であって、前記各蓄電装置にスイッチを介して接続した充電用電流源と、各蓄電装置の充電電圧を検出する電圧検出手段と、前記スイッチを交互にオンオフして各蓄電装置に時分割で充電電流を流し、前記電圧検出手段で検出された各蓄電装置の充電電圧に応じて前記スイッチのオン時間を制御するオン時間制御手段とを備えたことを特徴とする。
この第６の構成においては、各蓄電装置に対する充電を時分割で行うので、充電電力を抑制することができる。
【００２１】
本発明の第７の構成に係る蓄電装置の充電装置は、前記蓄電装置は、電気二重層コンデンサ、電気化学キャパシタ等の大容量キャパシタであることを特徴とする。
この第７の構成においては、蓄電装置を大容量キャパシタとすることで、充電電流を小電流から大電流まで任意に設定でき、充電時間も短縮することができる。
【００２２】
【発明の実施の形態】
以下、本発明の実施の形態を図面を用いて説明する。
まず、蓄電装置として電気二重層コンデンサを例にあげて説明する。
電気二重層コンデンサを蓄電装置として用いる場合の概念図は、図１のとおりである。図中、１は電気二重層コンデンサ、２は出力電圧定電圧化回路、３は負荷を示す。
【００２３】
通常、電気二重層コンデンサ１は、満充電時の１／４の電圧まで使用すれば、蓄電容量の９４％が使用される。電気二重層コンデンサ１は、負荷電流が一定の場合、図２（ａ）に示すように、時間と共に直線的に出力電圧が低下する。したがって出力電圧を一定にするために、出力電圧定電圧化回路２が必要となる。
【００２４】
例として、２．３Ｖ定格の電気二重層コンデンサを０．６Ｖまで使用する場合、仮に２．０Ｖの定電圧を出力する場合は、２．３Ｖから２．０Ｖまでは降圧、２．０Ｖから０．６Ｖまでは昇圧を必要とする。
【００２５】
このように、降圧と昇圧を行うための出力電圧定電圧化回路２の構成例を図３に示す。図中４は降圧ＤＣ−ＤＣコンバータ、５は昇圧ＤＣ−ＤＣコンバータ、６はリファレンス電圧生成回路７で生成されたリファレンス電圧と電気二重層コンデンサ１の出力電圧とを比較するコンパレータ、８は降圧ＤＣ−ＤＣコンバータ４と昇圧ＤＣ−ＤＣコンバータ５とを切り替えるスイッチ、９はコンパレータ６の比較出力によりスイッチ８を切り替える切り替え制御回路、１０は降圧ＤＣ−ＤＣコンバータ４と昇圧ＤＣ−ＤＣコンバータ５の出力電圧を監視し、一致したら切り替え制御回路９に切り替え信号を出力してスイッチ８を切り替える電圧モニター回路である。
【００２６】
この出力電圧定電圧化回路２の動作により、図２（ｂ）に示すように定格の２．３Ｖから０．６Ｖまでの電気二重層コンデンサ１の端子電圧に対し、２．０Ｖの定電圧出力が可能となる。
【００２７】
ところで、例えば３．４Ｖの定電圧出力が必要な場合は、２．３Ｖ定格の電気二重層コンデンサを２個直列した形で使用するのが効率的である。２．３Ｖ定格の電気二重層コンデンサを１個で昇圧ＤＣ−ＤＣコンバータのみを使用すると、ＤＣ−ＤＣコンバータの電力ロスが大きくなるため、不適当である。したがって、直流電源として、２個または電圧に応じた複数の電気二重層コンデンサを直列接続して使用することが望ましい。
【００２８】
このような電気二重層コンデンサを２個以上、直列接続して直流電源装置を構成する場合の充電方法は、従来は、直列接続のまま電気二重層コンデンサに電圧を加える方法をとっている。しかし、２個以上の直列の電気二重層コンデンサを満充電する場合、実際には容量がばらついているため、どちらかが先に満充電になり、他方は未充電の状態となる。残りの電気二重層コンデンサも満充電にしようとすると、先の電気二重層コンデンサは過充電となる。
【００２９】
そこで、もう一方の電気二重層コンデンサも満充電にするためには各々の電気二重層コンデンサの電圧をモニターし並列で充電することが有効である。このことにより２つの電気二重層コンデンサをフルに充電することが可能となる。
【００３０】
図４は、その充電装置の第１実施形態を示すブロック図である。この図において、１１は充電電流源、１２は電気二重層コンデンサ（以下「ＥＤＬＣ」という）１に並列に接続された第１演算部、１３は第１放電ブロック、１４はＥＤＬＣ２に並列に接続された第２演算部、１５は第２放電ブロック、１６，１７，１８はスイッチ、１９は補助電源である。
充電開始時には、第１放電ブロック１３と第２放電ブロック１５はともに開放状態、スイッチ１６は充電電流源１１側、スイッチ１７および１８は閉じた状態である。
【００３１】
ここで、充電電流源１１の出力である充電電流をＩｃ、ＥＤＬＣ１の容量をＣ１、両端電圧をＶ１、電荷をＱ１、ＥＤＬＣ２の容量をＣ２、両端電圧をＶ２、電荷をＱ２とすると、ＥＤＬＣ１とＥＤＬＣ２は直列接続されているため充電電流ＩｃはＥＤＬＣ１とＥＤＬＣ２に等しく流れる。したがって、電荷Ｑ１＝Ｑ２である。しかし、ＥＤＬＣ１とＥＤＬＣ２の容量Ｃ１とＣ２にはばらつきがあるため、端子電圧Ｖ１とＶ２はばらつき、満充電までの時間が異なる。第１演算部１２および第２演算部１４では、電圧Ｖ１とＶ２を監視しており、例えばＥＤＬＣ１が先に基準電圧Ｅ１に達して満充電になると、第１放電ブロック１３を導通状態にして、充電電流Ｉｃがそれ以上ＥＤＬＣ１に流れないようにするとともに、第１放電ブロック１３を経由してＥＤＬＣ２に充電電流Ｉｃを流し続ける。次いで、ＥＤＬＣ２が基準電圧Ｅ２に達して満充電になると、第２演算部１４がそれを検出し、スイッチ１６を補助電源１９側に切り替え、またスイッチ１７および１８を開放してＥＤＬＣ１とＥＤＬＣ２には補助電源１９からの充電電流が流れるようにする。補助電源１９の電圧は、満充電時のＥＤＬＣ１とＥＤＬＣ２の電圧とほぼ等しい電圧とすることで、満充電以後の自己放電による電圧低下を防ぐ。また、充電完了ランプ（図示せず）などにより、２つのＥＤＬＣ１，２がともに充電完了したことを報知する。なお、ＥＤＬＣ２が先に満充電になったときは以上の逆の動作となる。
自己放電による電圧低下を防ぐ他の方法としては、スイッチ１６〜１８および補助電源１９を設けずに、満充電後、充電電流源１１の電流値を小さくして充電を継続するようにしてもよい。
【００３２】
図５は充電装置の第２実施形態を示すブロック図である。この図において、２１は電気二重層コンデンサＥＤＬＣ１を充電するための第１充電電流源、２２はＥＤＬＣ２を充電するための第２充電電流源、２３はＥＤＬＣ３を充電するための第３充電電流源、２４はＥＤＬＣ１の負側端子と接地ラインとを接続／開放するための第１放電ブロック、２５はＥＤＬＣ２の負側端子と接地ラインとを接続／開放するための第２放電ブロック、２６はＥＤＬＣ１の端子電圧を検出するための第１差電圧監視回路、２７はＥＤＬＣ２の端子電圧を検出するための第２差電圧監視回路、２８はＥＤＬＣ３の端子電圧を検出するための第３差電圧監視回路、２９は各ＥＤＬＣの端子電圧に基づいて第１放電ブロック２４，第２放電ブロック２５を接続／開放するための充電電流放電電流制御回路である。
【００３３】
次に、この第２実施形態の動作について説明する。
充電開始時には、第１放電ブロック２４と第２放電ブロック２５はともに接続（短絡）状態であり、第１〜第３充電電流源２１〜２３から、各ＥＤＬＣ１〜３には充電電流が供給される。各ＥＤＬＣ１〜３の両端の電圧は、第１〜第３差電圧監視回路２６〜２８により監視されている。充電電流放電電流制御回路２９では、各ＥＤＬＣの端子電圧が同じになるように、第１充電電流源２１と第１放電ブロック２４の電流を追従させ、同じく第２充電電流源２２と第２放電ブロック２５を追従させて充電を行い、最終的に各ＥＤＬＣの端子電圧を目標の電圧に保持するように制御を行う。
【００３４】
なお、ＥＤＬＣ１〜ＥＤＬＣ３を直列接続して電源として使用する放電時は、充電電流放電電流制御回路２９により第１放電ブロック２４と第２放電ブロック２５を開放することで、各ＥＤＬＣ１〜３は直列に接続される。
【００３５】
図６は充電装置の第３実施形態を示すブロック図、図７はその第３実施形態における動作を示すタイムチャートである。この図において、３１は充電電流源、３２，３３はＥＤＬＣ１〜３へ時分割で充電電流を流す同期スイッチ、３４は同期スイッチ３３と接地ラインとの間に接続された放電ブロック、３５はＥＤＬＣ１の端子電圧を監視する第１差電圧監視回路、３６はＥＤＬＣ２の端子電圧を監視する第２差電圧監視回路、３７はＥＤＬＣ３の端子電圧を監視する第３差電圧監視回路、３８は各ＥＤＬＣ１〜３で検出した電圧に基づいて同期スイッチ３２，３３のオン時間を制御するオン時間制御回路である。
【００３６】
この第３実施形態において、あるタイミングでオン時間制御回路３８が同期スイッチ３２，３３をオンにすると、充電電流源３１からＥＤＬＣ１に対して充電電流Ｉｃ１が流れる（図７（ａ）参照）。次のタイミングでは、ＥＤＬＣ２に対して充電電流Ｉｃ２が流れる（図７（ｂ）参照）。また次のタイミングではＥＤＬＣ３に対して充電電流Ｉｃ３が流れる。これを周期Ｔで順次繰り返して、ＥＤＬＣ１〜ＥＤＬＣ３に時分割で充電を行う。各ＥＤＬＣのオン時間は、Ｔ／３周期以内である。
【００３７】
充電開始時は、各ＥＤＬＣの充電電流のオン時間はＴ／３に近いが、充電電圧が基準電圧に近づくと、各差電圧監視回路３５〜３７がそれを検知し、オン時間制御回路３８は、同期スイッチ３２，３３のオン時間のデューティー比を小さくする。このオン時間は、ＥＤＬＣ１〜３の両端の電圧と基準電圧との差に応じて決定される。いずれかのＥＤＬＣが満充電になると、同期スイッチのデューティー比は０になり、まだ満充電に達していないＥＤＬＣへの同期スイッチ３２，３３のオン時間のデューティー比は０ではなく、その差電圧に応じた値となる。このようにして、すべてのＥＤＬＣが満充電になるまで、オン時間制御回路３８が働く。差電圧監視回路３５〜３７がすべて満充電電圧を検出すると、オン時間制御回路３８を停止し、充電動作を終了する。
【００３８】
【発明の効果】
上述したように、本発明の第１の構成によれば、電気二重層コンデンサや電気化学キャパシタを使用する時に、直列接続された電気二重層コンデンサや電気化学キャパシタを個々に監視しながらすべての電気二重層コンデンサや電気化学キャパシタの満充電が実現でき、かつ、電気二重層コンデンサや電気化学キャパシタの定電圧放電を実現できることにより、高効率充電と定電圧放電が両立でき、電気二重層コンデンサや電気化学キャパシタを蓄電装置として普及の促進を図ることができる。
【００３９】
本発明の第２および第５の構成によれば、１個の充電用電流源から充電するときに、個々の蓄電装置の充電電圧を監視し、満充電電圧に達するとその蓄電装置に充電電流が流れないように放電ブロックを導通状態とすることで、過充電となることがない。
【００４０】
本発明の第３および第６の構成によれば、各蓄電装置に対する充電を時分割で行うので、充電電力を抑制することができる。
【００４１】
本発明の第４および第７の構成によれば、蓄電装置を大容量キャパシタとすることで、充電電流を小電流から大電流まで任意に設定でき、充電時間も短縮することができる。
【図面の簡単な説明】
【図１】電気二重層コンデンサを蓄電装置として用いる場合の概念図である。
【図２】電気二重層コンデンサの定電圧化のイメージグラフである。
【図３】降圧と昇圧を行うための出力電圧定電圧化回路の構成例を示すブロック図である。
【図４】本発明の充電装置の第１実施形態を示すブロック図である。
【図５】本発明の充電装置の第２実施形態を示すブロック図である。
【図６】本発明の充電装置の第３実施形態を示すブロック図である。
【図７】第３実施形態における動作を示すタイムチャートである。
【符号の説明】
１，ＥＤＬＣ１，ＥＤＬＣ２  電気二重層コンデンサ
２  出力電圧定電圧化回路
３  負荷
４  降圧ＤＣ−ＤＣコンバータ
５  昇圧ＤＣ−ＤＣコンバータ
６  コンパレータ
７  リファレンス電圧生成回路
８  スイッチ
９  切り替え制御回路
１０  電圧モニター回路
１１  充電電流源
１２  第１演算部
１３  第１放電ブロック
１４  第２演算部
１５  第２放電ブロック
１６，１７，１８，１９  スイッチ
１９  補助電源
２１  第１充電電流源
２２  第２充電電流源
２３  第３充電電流源
２４  第１放電ブロック
２５  第２放電ブロック
２６  第１差電圧監視回路
２７  第２差電圧監視回路
２８  第３差電圧監視回路
２９  充電電流放電電流制御回路
３１  充電電流源
３２，３３  同期スイッチ
３４  放電ブロック
３５  第１差電圧監視回路
３６  第２差電圧監視回路
３７  第３差電圧監視回路
３８  オン時間制御回路
【図１】
2004304931.tif 000003
【図２】
2004304931.tif 000004
【図３】
2004304931.tif 000005
【図４】
2004304931.tif 000006
【図５】
2004304931.tif 000007
【図６】
2004304931.tif 000008
【図７】
2004304931.tif 000009